(57)【要約】【課題】  映像を表示するためのビデオ信号を受信装置に送信するための送信装置において、伝送路の状態が悪化した場合にも、受信装置での表示画像にこま落ちや途切れが生じることを防止することである。【解決手段】  ＭＰＥＧエンコーダ１０４と、ベースバンド部１０５と、ベースバンド部１０５から出力されるビデオ信号を無線ＬＡＮの電波によって送信する送信手段１０８，１０９，１１０と、受信装置２００からビデオ信号の受信状態を表す受信伝送レートを取得する受信状態取得手段１１０，１０９，１０８，１０５，１０１と、受信伝送レートが第１の閾値未満になると、ビデオ信号の送信伝送レートを低減し、受信伝送レートがさらに第２の閾値未満になると、映像の解像度を低減するように、ＭＰＥＧエンコーダ１０４及びベースバンド部１０５を制御する送信制御手段１０１とを備えることを特徴とする送信装置。【選択図】      図２
2005191933.tif 000002
【特許請求の範囲】
【請求項１】
映像を再生するためのビデオ信号を無線ＬＡＮの電波によって表示装置に送信するための送信装置であって、
ビデオ信号をＭＰＥＧ形式で圧縮するＭＰＥＧエンコーダと、
前記ＭＰＥＧエンコーダによって圧縮されたビデオ信号に無線ＬＡＮの規格に準拠した符号化を施すベースバンド部と、
前記ベースバンド部から出力されるビデオ信号を無線ＬＡＮの電波によって送信する送信手段と、
前記受信装置から前記ビデオ信号の受信状態を表す受信伝送レートを取得する受信状態取得手段と、
前記受信伝送レートが第１の閾値未満になると、前記ビデオ信号の送信伝送レートを低減し、前記受信伝送レートがさらに第２の閾値未満になると、前記映像の解像度を低減するように、前記ＭＰＥＧエンコーダ及び前記ベースバンド部を制御する送信制御手段と、を備えることを特徴とする送信装置。
【請求項２】
映像を再生するためのビデオ信号を受信装置に送信するための送信装置であって、
前記ビデオ信号を送信する送信手段と、
前記受信装置から前記ビデオ信号の受信状態を表す受信状態信号を受信する受信状態取得手段と、
前記受信状態信号に基づいて、前記ビデオ信号の送信伝送レート及び前記映像の解像度を制御する送信制御手段と、を備えることを特徴とする送信装置。
【請求項３】
前記送信制御手段は、前記受信状態信号が第１の閾値よりも悪化すると、前記送信伝送レートを低減し、前記受信状態信号がさらに第２の閾値よりも悪化すると、前記解像度を低減することを特徴とする、請求項２に記載の送信装置。
【請求項４】
前記送信制御手段は、前記受信状態信号が第１の閾値よりも悪化すると、前記解像度を低減し、前記受信状態信号がさらに第２の閾値よりも悪化すると、前記送信伝送レートを低減することを特徴とする、請求項２に記載の送信装置。
【請求項５】
伝送レート優先モード又は解像度優先モードの何れかの選択を受け付ける送信モード受付手段をさらに備え、
前記送信制御手段は、
前記解像度優先モードが選択されている場合、前記受信状態信号が前記第１の閾値よりも悪化すると前記送信伝送レートを低減し、前記受信状態信号が第２の閾値よりもさらに悪化すると前記解像度を低減する制御を実行し、
前記伝送レート優先モードが選択されている場合、前記受信状態信号が前記第１の閾値よりも悪化すると前記解像度を低減し、前記受信状態信号が第２の閾値よりもさらに悪化すると前記送信伝送レートを低減する制御を実行する、
ことを特徴とする請求項２に記載の送信装置。
【請求項６】
ビデオ信号を送信する送信装置と前記ビデオ信号を受信して映像を表示する受信装置とを備える送受信システムにおいて、
前記受信装置は、前記ビデオ信号の受信状態を表す受信状態信号を前記送信装置に送信し、
前記送信手段は、前記受信状態信号に基づいて前記ビデオ信号の送信伝送レート及び前記映像の解像度を制御することを特徴とする送受信システム。
【発明の詳細な説明】
【技術分野】
【０００１】
本発明は、送信装置、特に、映像を表示するためのビデオ信号を受信装置に送信するための送信装置に関する。また、本発明は、送受信システム、特に、ビデオ信号を送信する送信装置と前記ビデオ信号を受信して映像を表示する受信装置とを備える送受信システムに関する。
【背景技術】
【０００２】
特許文献１には、伝送路を介してビデオ信号を送信する画像通信装置が記載されている。この画像通信装置は、送信装置としての撮像装置と、受信装置としての記録表示装置とを備えている。撮像装置は、撮像された画像をフィールドごとに圧縮して圧縮画像データを生成し、各圧縮画像データにフィールド番号を付して送信する。受信装置は、受信した圧縮画像データを記憶し、フィールド番号に基づいて受信状態を判断し、受信状態が悪い状態がある程度連続する場合には偶数又は奇数フィールドのみを読み出し、良好な受信状態がある程度連続する場合にはフレームごとに読み出しを行う。これにより、伝送状況が悪い伝送路を介して圧縮画像データを受信して表示する場合に、表示画像の劣化を抑制している。
【特許文献１】特開平１１−１７７９４７号公報
【発明の開示】
【発明が解決しようとする課題】
【０００３】
特許文献１では、受信側の記録表示装置において、受信状態が悪い場合には、偶数フィールド又は奇数フィールドのみで画像の表示を行うことによって、表示画像の劣化を抑制しているが、送信側の撮像装置では、受信状態の良い悪いに基づいて送信データの制御を行っていない。このため、伝送帯域幅が、送受信装置間の設置距離、送受信装置間の遮蔽物、他の無線機器からの電波の影響等によって、送受信機間の伝送帯域幅が狭くなった場合には、受信装置が受信する圧縮画像データからデータが不規則に欠落したり、大量に欠落して、偶数又は奇数フィールドのみの表示を行ったとしても、表示画像において、こま落ちや途切れが生じる虞がある。
【０００４】
本発明は、映像を表示するためのビデオ信号を受信装置に送信するための送信装置において、伝送路の状態が悪化した場合にも、受信装置での表示画像にこま落ちや途切れが生じることを防止することである。
【課題を解決するための手段】
【０００５】
請求項１に係る送受信装置は、映像を再生するためのビデオ信号を無線ＬＡＮの電波によって表示装置に送信するための送信装置であって、ＭＰＥＧエンコーダと、ベースバンド部と、送信手段と、受信状態取得手段と、送信制御手段とを備えている。
【０００６】
ＭＰＥＧエンコーダは、ビデオ信号をＭＰＥＧ形式で圧縮する。ベースバンド部は、ＭＰＥＧエンコーダによって圧縮されたビデオ信号に無線ＬＡＮの規格に準拠した符号化を施す。送信手段は、ベースバンド部から出力されるビデオ信号を無線ＬＡＮの電波によって送信する。受信状態取得手段は、受信装置からビデオ信号の受信状態を表す受信伝送レートを取得する。送信制御手段は、受信伝送レートが第１の閾値未満になると、ビデオ信号の送信伝送レートを低減し、受信伝送レートがさらに第２の閾値未満になると、映像の解像度を低減するように、ＭＰＥＧエンコーダ及びベースバンド部を制御する。
【０００７】
この送信装置では、受信伝送レートに応じて、送信伝送レート（単位時間に送信するフレーム数又はフィールド数）及び解像度を制御するため、受信装置で受信するビデオ信号にフレーム又はフィールド落ちが生じることを防止することができる。したがって、送受信装置間の伝送路の状態が悪化して、受信装置の受信状態が悪化した場合であっても、コマ落ちのないビデオ信号を受信して表示し、表示画像にこま落ちや途切れが生じることを防止することができる。
【０００８】
また、受信伝送レートが低下すると、まず伝送レートを低減し、解像度の低下なしにこま落ち等を防止し、さらに受信伝送レートが狭くなると、伝送レートに加えて解像度も低減してこま落ち等を防止する。これにより、解像度を可能な限り劣化させずに、こま落ち等を防止することができる。
【０００９】
請求項２に係る送信装置は、映像を表示するためのビデオ信号を受信装置に送信するための送信装置であって、ビデオ信号を送信する送信手段と、受信装置からビデオ信号の受信状態を表す受信状態信号を受信する受信状態取得手段と、受信状態信号に基づいて、ビデオ信号の送信伝送レート及び映像の解像度を制御する送信制御手段と、を備えることを特徴とする。
【００１０】
この送信装置では、受信装置の受信状態に応じて、伝送レート（単位時間に送信するフレーム数又はフィールド数）及び解像度を制御するため、受信装置で受信するビデオ信号にフレーム又はフィールド落ちが生じることを防止することができる。したがって、送受信装置間の伝送路の状態が悪化して、受信装置の受信状態が悪化した場合であっても、フレーム又はフィールド落ちのほとんどないビデオ信号を受信して表示し、表示画像にこま落ちや途切れが生じることを防止することができる。
【００１１】
請求項３に係る送信装置は、請求項２に係る装置において、送信制御手段は、受信状態信号が第１の閾値よりも悪化すると送信伝送レートを低減し、受信状態信号がさらに第２の閾値よりも悪化すると解像度を低減することを特徴とする。
【００１２】
この送信装置では、受信状態が悪化すると、まず送信伝送レートを低減し、解像度の低下なしにこま落ち等を防止し、さらに受信状態が悪化した場合には、送信伝送レートに加えて解像度も低減してこま落ち等を防止する。この場合、解像度を可能な限り劣化させずに、こま落ち等を防止することができる。
【００１３】
請求項４に係る送信装置は、請求項２に係る装置において、送信制御手段は、受信状態信号が第１の閾値よりも悪化すると解像度を低減し、受信状態信号がさらに第２の閾値よりも悪化すると送信伝送レートを低減することを特徴とする。
【００１４】
この送信装置では、受信状態が悪化すると、まず解像度を低減し、送信伝送レートの低下なしにこま落ち等を防止し、さらに受信状態が悪化した場合には、解像度に加えて送信伝送レートも低減してこま落ち等を防止する。この場合、送信伝送レートを可能な限り低下させずに、こま落ち等を防止することができる。
【００１５】
請求項５に係る送信装置は、伝送レート優先モード又は解像度優先モードの何れかの選択を受け付ける送信モード受付手段をさらに備えている。また、送信制御手段は、解像度優先モードが選択されている場合、受信状態信号が第１の閾値よりも悪化すると送信伝送レートを低減し、受信状態信号がさらに第２の閾値よりも悪化すると解像度を低減する制御を実行する。一方、送信制御手段は、伝送レート優先モードが選択されている場合、受信状態信号が第１の閾値よりも悪化すると解像度を低減し、受信状態信号がさらに第２の閾値よりも悪化すると送信伝送レートを低減する制御を実行する。
【００１６】
この送信装置では、選択されたモードに基づいて、解像度又は伝送レートを可能な限り劣化させずにこま落ち等を防止することができる。例えば、デフォルトでは何れかのモードを選択させておき、ユーザが受信装置を介してモードを選択できるようにすれば、ユーザの優先するモードで送信処理を行うことができる。
【００１７】
請求項６に係る送受信システムは、ビデオ信号を送信する送信装置と前記ビデオ信号を受信して映像を表示する受信装置とを備える送受信システムにおいて、受信装置は、ビデオ信号の受信状態を表す受信状態信号を送信装置に送信し、送信手段は、受信状態信号に基づいてビデオ信号の伝送レート及び映像の解像度を制御することを特徴とする。
【００１８】
この送受信システムでは、受信装置の受信状態に応じて、送信伝送レート（単位時間に送信するフレーム数又はフィールド数）及び解像度を制御するため、受信装置で受信するビデオ信号にフレーム又はフィールド落ちが生じることを防止することができる。したがって、送受信装置間の伝送路の状態が悪化して、受信装置の受信状態が悪化した場合であっても、フレーム又はフィールド落ちのほとんどないビデオ信号を受信して表示し、表示画像にこま落ちや途切れが生じることを防止することができる。
【発明の効果】
【００１９】
本発明によれば、映像を表示するためのビデオ信号を受信装置に送信するための送信装置において、伝送路の状態が悪化した場合にも、受信装置での表示画像にこま落ちや途切れが発生することを防止できる。
【発明を実施するための最良の形態】
【００２０】
（１）第１実施形態
〔構成〕
図１は、本発明の一実施形態に係る送受信システムの機能ブロック図である。この送受信システムは、送信装置１００と、受信装置２００とを備えている。
【００２１】
送信装置１００は、ＤＶＤ等の光ディスクやビデオテープ等の記録媒体からビデオ信号及びオーディオ信号を読み出して、無線ＬＡＮ電波によってビデオ信号及びオーディオ信号を送信する光ディスク装置又はビデオテープ装置である。送信装置１００は、録画機能を持つものであっても、再生機能のみを持つものであっても良い。
【００２２】
送信装置１００は、マイクロコンピュータ１０１と、ＭＰＥＧエンコーダ１０４と、ベースバンド部１０５と、ＩＦ部１０８と、ＲＦ部１０９と、アンテナ１１０とを主に備えている。
【００２３】
ＭＰＥＧエンコーダ１０４は、記録媒体から読み出したビデオ信号及びオーディオ信号をＭＰＥＧ形式でエンコード（圧縮）する。ＭＰＥＧエンコーダ１０４の圧縮率は可変であり、マイクロコンピュータ１０４によって制御される。ＭＰＥＧエンコーダ１０４の圧縮率を変更することによって、フレーム又はフィールド当たりの空間的な解像度を調整する。なお、ＭＰＥＧエンコーダ１０４は、圧縮率が可変できるものであれば、他のコーデックでも良い。ベースバンド部１０５は、無線ＬＡＮの規格に準拠した符号化、復号化を施す回路であり、ＭＰＥＧエンコーダ１０４から出力されるビデオ信号及びオーディオ信号を符号化してベースバンド信号を生成するとともに、ＩＦ部１０８から出力されるベースバンド信号を復号化する。ＲＡＭ１０６は、ベースバンド部１０５の符号化・復号化処理の作業領域として使用されるメモリであり、ＲＯＭ１０７は、ベースバンド部１０５の処理に使用される各種パラメータを記憶しているメモリである。ベースバンド部１０５は、単位時間に送信される映像のフレーム数又はフィールド数（送信伝送レート）を可変可
能であり、マイクロコンピュータ１０１によって制御される。ＩＦ部１０８は、ベースバンド部１０５で生成されたベースバンド信号を中間周波数信号（ＩＦ信号）に変換してＲＦ部１０９に出力するとともに、ＲＦ部１０９から出力されるＩＦ信号をベースバンド信号に変換する。ＲＦ部１０９は、ＩＦ部１０８から出力されるＩＦ信号を無線周波数帯のＲＦ信号に変換してアンテナ１１０に出力し、アンテナ１１０から出力されるＲＦ信号をＩＦ信号に変換してＩＦ部１０８に出力する。アンテナ１１０は、ビデオ信号及びオーディオ信号を無線ＬＡＮ電波に変換して送信する。
【００２４】
マイクロコンピュータ１０１は、記録媒体からのビデオ信号及びオーディオ信号の読み出し、ＭＰＥＧエンコーダ１０４の圧縮率の制御、ベースバンド部１０５での送信伝送レートの制御を含む送信装置１００全体の制御を行う。また、マイクロコンピュータ１０１は、後述する受信伝送レートＳをアンテナ１１０、ＲＦ部１０９、ＩＦ部１０８及びベースバンド部１０５を介して取得し、受信伝送レートＳに応じて（現在の伝送帯域幅を超えないように最大の）送信伝送レート及び解像度を算出し、これらの送信伝送レート及び解像度になるように、ＭＰＥＧエンコーダ１０４及びベースバンド部１０５を制御する。ＲＡＭ１０２は、マイクロコンピュータ１０１での処理の作業領域として使用されるメモリであり、ＲＯＭ１０７は、マイクロコンピュータ１０１での処理に使用されるプログラムや各種パラメータを記憶しているメモリである。
【００２５】
受信装置２００は、ＬＣＤ、ＰＤＰ等の表示装置であり、送信装置１００から受信したビデオ信号及びオーディオ信号を図示しない表示部に表示させる。
【００２６】
受信装置２００は、マイクロコンピュータ２０１と、ＭＰＥＧデコーダ２０４と、ベースバンド部２０５と、ＩＦ部２０８と、ＲＦ部２０９と、アンテナ２１０とを主に備えている。
【００２７】
アンテナ２１０は、ビデオ信号及びオーディオ信号を含む無線ＬＡＮ電波を受信する。ＲＦ部２０９は、ＩＦ部２０８から出力されるＩＦ信号を無線周波数帯のＲＦ信号に変換してアンテナ２１０に出力し、アンテナ２１０から出力されるＲＦ信号をＩＦ信号に変換してＩＦ部２０８に出力する。ＩＦ部２０８は、ベースバンド部２０５で生成されたベースバンド信号をＩＦ信号に変換してＲＦ部２０９に出力するとともに、ＲＦ部２０９から出力されるＩＦ信号をベースバンド信号に変換する。ベースバンド部２０５は、無線ＬＡＮの規格に準拠した符号化、復号化を施す回路であり、ＩＦ部２０８から出力されるベースバンド信号を復号化する。ＲＡＭ２０６は、ベースバンド部２０５の符号化・復号化処理の作業領域として使用されるメモリであり、ＲＯＭ２０７は、ベースバンド部２０５の符号化・復号化処理に使用されるプログラムや各種パラメータを記憶しているメモリである。ＭＰＥＧデコーダ２０４は、ベースバンド部２０５で復号化された信号をデコードしてビデオ信号及びオーディオ信号を出力し、これらのビデオ信号及びオーディオ信号が図示しない表示部及びスピーカから出力される。
【００２８】
マイクロコンピュータ２０１は、ＭＰＥＧデコーダ２０４、ベースバンド部２０５の制御を含む受信装置２００全体の制御を行う。また、マイクロコンピュータ２０１は、アンテナ２１０で受信するビデオ信号及びオーディオ信号の受信側での受信伝送レートＳを算出し、受信伝送レートＳを、ベースバンド部２０５、ＩＦ部２０８、ＲＦ部２０９を介して無線ＬＡＮ電波によって、所定時間ごとに送信装置１００に送信する。ＲＡＭ２０２は、マイクロコンピュータ２０１での処理の作業領域として使用されるメモリであり、ＲＯＭ２０７は、マイクロコンピュータ２０１での処理に使用されるプログラムや各種パラメータを記憶しているメモリである。
【００２９】
〔動作〕
以下、図２を参照して、送信装置１００から受信装置２００へのビデオ信号及びオーディオ信号の送信について説明する。
【００３０】
ステップＳ１１では、受信装置２００から受信伝送レートＳを受信したか否かを判別し、受信していない場合はリターンし、受信した場合にはステップＳ１２に移行する。ステップＳ１２では、受信伝送レートＳが第１の閾値Ｓ１よりも小さいか否かを判別し、ＳがＳ１以上の場合はリターンし、ＳがＳ１よりも小さい場合にはステップＳ１３に移行する。ステップＳ１３では、受信伝送レートＳが第２の閾値Ｓ２（＜Ｓ１）よりも小さいか否かを判別する。
【００３１】
無線ＬＡＮ電波の状態が悪化して、受信伝送レートＳが第１の閾値Ｓ１よりも低下したが、第２の閾値Ｓ２よりは低下していない場合には、ステップＳ１３からステップＳ１４に移行し、ベースバンド部１０５を制御して送信伝送レートを低減する。ここで、送信伝送レートは、現在の伝送帯域幅を超えない範囲で最大になるように低減する。受信伝送レートが小さいほど現在の伝送帯域幅も狭いので、受信伝送レートが小さいほど送信伝送レートの低減幅を大きくし、送信伝送レートを小さくする。
【００３２】
さらに無線ＬＡＮ電波の状態が悪化して、受信伝送レートＳが第２の閾値Ｓ２よりも低下した場合、ステップＳ１３からＳ１５に移行し、ＭＰＥＧエンコーダ１０４の圧縮率を大きくし、送信するビデオ信号のフレーム又はフィールド当たりの空間的な解像度を低下させる。ここで、解像度は、現在の伝送帯域幅を超えない範囲で最大になるように低減する。受信伝送レートが小さいほど現在の伝送帯域幅も狭いので、受信伝送レートが小さいほど解像度の低減幅を大きくし、解像度を小さくする。
【００３３】
〔作用効果〕
本実施形態に係る送信装置では、送信装置１００と受信装置２００との間の設置距離、送信装置１００と受信装置２００との間にある遮蔽物、他の無線ＬＡＮ装置からの電波によって、送信装置１００と受信装置２００との間の無線ＬＡＮ電波の状態が悪化し、伝送帯域幅が狭くなったとしても、受信装置２００から取得した受信伝送レートＳに応じて、伝送帯域幅を超えない範囲で、送信伝送レート及び解像度を制御するため、受信装置２００ではフレーム又はフィールド落ちのほとんどないビデオ信号及びオーディオ信号を受信することができ、受信装置２００に表示する画像にこま落ちや途切れを防止することができる。
【００３４】
また、伝送帯域幅が狭くなった場合には、まず、送信伝送レートを低減し、送信伝送レートの低減のみでは対応できなくなった場合には、解像度を低減させるので、解像度を可能な限り劣化させずに、受信装置２００におけるこま落ちや途切れを防止することができる。
【００３５】
（２）第２実施形態
第２実施形態に係る送受信システムは、受信伝送レートが小さくなった場合に、まず、解像度を低減し、解像度の低減では対応できなくなった場合に、送信伝送レートを低下させる。本実施形態に係る送受信システムも、第１実施形態と同様の構成である。
【００３６】
本実施形態に係る送信処理を図３に示す。ステップＳ２１及びＳ２２については上記実施形態と同様である。本実施形態では、受信伝送レートＳがＳ１より小さくなった場合に、ステップＳ２３からステップＳ２４に移行し、ＭＰＥＧエンコーダ１０４の圧縮率を大きくし、送信するビデオ信号のフレーム又はフィールド当たりの空間的な解像度を低下させる。ここで、解像度は、現在の伝送帯域幅を超えない範囲で最大になるように低減する。受信伝送レートが小さいほど現在の伝送帯域幅も狭いので、受信伝送レートが小さいほ
ど解像度の低減幅を大きくし、解像度を小さくする。受信伝送レートＳがさらにＳ２より小さくなった場合には、ステップＳ２３からステップＳ２５に移行し、ベースバンド部１０５を制御して送信伝送レートを低減する。ここで、送信伝送レートは、現在の伝送帯域幅を超えない範囲で最大になるように低減する。受信伝送レートが小さいほど現在の伝送帯域幅も狭いので、受信伝送レートが小さいほど送信伝送レートの低減幅を大きくし、送信伝送レートを小さくする。
【００３７】
本実施形態によれば、伝送帯域幅が狭くなった場合には、まず、解像度を低減し、解像度の低減のみでは対応できなくなった場合には、送信伝送レートを低減させるので、送信伝送レートを可能な限り低下させずに、受信装置２００におけるこま落ちや途切れを防止することができる。
【００３８】
（３）第３実施形態
第３実施形態に係る送受信システムは、解像度優先モード又は伝送レート優先モードの何れか一方の選択を受け付け、選択されたモードに応じて、送信伝送レート及び解像度を制御する。即ち、解像度優先モードが選択されている場合には、まず、送信伝送レートを低減し、送信伝送レートの低減では対応できなくなった場合に、解像度を低下させ、一方、伝送レート優先モードが選択されている場合には、まず、解像度を低減し、解像度の低減では対応できなくなった場合に、伝送レートを低減する。伝送モードの選択は、ユーザが受信装置２００にリモコン等によって又は本体に直接入力し、このモード選択を無線ＬＡＮ電波によって送信装置１００に送信するようにしても良いし、ユーザが送信装置１００にリモコン等によって又は本体に直接入力するようにしても良い。また、伝送モードは、デフォルトでは、例えば解像度優先モード（又は伝送レート優先モード）に設定しておき、ユーザが変更、即ち選択できるようにしても良い。
【００３９】
本実施形態に係る送信処理を図４に示す。ステップＳ３１の処理は、上記実施形態と同様である。ステップＳ３２では、ユーザが設定した伝送モードが、解像度優先モードか伝送レート優先モードを判別する。
【００４０】
ステップＳ３２で解像度優先モードが選択されている場合には、ステップＳ３７に移行し、第１実施形態と同様の処理を行う。即ち、受信伝送レートＳが第１の閾値Ｓ１より小さくなると、ステップＳ３８からステップＳ３９に移行し、ベースバンド部１０５を制御して送信伝送レートを低減し、受信伝送レートＳがさらに第２の閾値Ｓ２より小さくなると、ステップＳ３８からステップＳ４０に移行し、ＭＰＥＧエンコーダ１０４を制御して解像度を低減する。
【００４１】
一方、ステップＳ３２で伝送レート優先モードが選択されている場合には、ステップＳ３３に移行し、第２実施形態と同様の処理を行う。即ち、受信伝送レートＳが第１の閾値Ｓ１より小さくなると、ステップＳ３４からステップＳ３５に移行し、ＭＰＥＧエンコーダ１０４を制御して解像度を低減し、受信伝送レートＳがさらに第２の閾値Ｓ２より小さくなると、ステップＳ３４からステップＳ３６に移行し、ベースバンド部１０５を制御して送信伝送レートを低減する。
【００４２】
本実施形態によれば、解像度又は伝送レートの何れかを必要に応じて優先させて、即ち、可能な限り劣化又は低下させることなく、表示画像のコマ落ちや途切れを防止することができる。
【００４３】
（４）送信装置、受信装置の組み合わせ
図５は、送信装置１００及び受信装置２００の組み合わせ例を示す。送信装置１００は、上記で示した記録装置（光ディスク装置、ビデオテープ装置）の他に、地上波アナログ
、デジタル放送波、ＢＳ、ＣＳ等の衛星放送波から放送信号を受信するチューナ装置、ＣＡＴＶ受信装置などであっても良い。また、チューナ装置、ＣＡＴＶ受信装置は、記録装置を有するものであっても良い。
【００４４】
受信装置２００としては、表示装置（ＣＲＴ、ＬＣＤ、ＰＤＰ）等であるが、ＣＲＴ、ＬＣＤ、ＰＤＰ等の表示部を有するものでなくとも、受信装置１００からビデオ信号及びオーディオ信号を受信してＣＲＴ、ＬＣＤ、ＰＤＰ等の表示部にビデオ信号を出力する記録装置（光ディスク装置、ビデオテープ装置）であっても良い。
【図面の簡単な説明】
【００４５】
【図１】本発明の一実施形態に係る送受信システムの概略構成図である。
【図２】第１実施形態に係る送信処理を示すフローチャート。
【図３】第２実施形態に係る送信処理を示すフローチャート。
【図４】第３実施形態に係る送信処理を示すフローチャート。
【図５】送信装置、受信装置の組み合わせ例。
【符号の説明】
【００４６】
１００、２００  送信装置
１０１、２０１  マイクロコンピュータ
１０２、２０２  ＲＡＭ
１０３、２０３  ＲＯＭ
１０４、２０４  ＭＰＥＧエンコーダ
１０５、２０５  ベースバンド部
１０６、２０６  ＲＡＭ
１０７、２０７  ＲＯＭ
１０８、２０８  ＩＦ部
１０９、２０９  ＲＦ部
１１０、２１０  アンテナ
【図１】
2005191933.tif 000003
【図２】
2005191933.tif 000004
【図３】
2005191933.tif 000005
【図４】
2005191933.tif 000006
【図５】
2005191933.tif 000007